(57)【要約】      （修正有）【課題】畳形式敷物に関するものである。コンパクトで、移動、取り外しが容易にでき、意匠性を持って、フローリングの部屋でも快適に生活することができるフローリング用連結置き畳敷物を提供する。【解決手段】畳表２とフェルト３からなる厚さ１０〜３０ｍｍの小型軽量畳マット２〜１６個を適宜に配列して、当該マットの裏面に２〜４脚ドローン型連結具５、２〜２０個によって１〜８畳の大きさの連結敷物マットにしている。【選択図】図１
0003202380.tif 000002
【実用新案登録請求の範囲】
【請求項１】
畳表とフェルトからなる厚さ１０〜３０ｍｍの小型軽量畳マット２〜１６個を適宜に配列して、当該マットの裏面に２〜４脚ドローン型連結具２〜２０によって１〜８畳の大きさの連結敷物マットにしていることを特徴とするフローリング用連結置き畳敷物。
【請求項２】
小型軽量マットの置き畳敷物は、縦横７００〜９００ｍｍの略正方形であって、表面に藺草で織った畳表で、裏面に厚さ８〜３０ｍｍのフェルト材を使用して、各４辺の縁には、６０〜１２０ｍｍの縁布によって、表端、縁、裏端それぞれ２０〜４０ｍｍ長さの縁留めになるようにして、裏面のフェルトには径１０〜１５ｍｍφ、深さ８〜１８ｍｍの穴部を、正方形のマット一辺に７０〜９５ｍｍの間隔で４〜６個を設けて、１マット当たり１６〜２４個の穴部を取り付けて、穴部配列を一辺でマット両端から３０〜５０ｍｍの位置にそれぞれ２個、中央部に２個に７０〜９５ｍｍの間隔で、又はマット両端から３０〜５０ｍｍの位置にそれぞれ７０〜９５ｍｍの間隔で２個のみ配列していることを特徴とする請求項１に記載のフローリング用連結置き畳敷物。
【請求項３】
２〜４脚ドローン型連結具は、材質として柔軟性の可塑性重合系樹脂で、厚さ１〜２ｍｍの略放射形状体であって、フローリング面で滑り止めになるように、裏面の平滑度を±０．１ｍｍ以上の粗さと、略放射形状として中心部から２〜４本の脚を出したドローン形状であり、当該ドローン形状の各脚の先端付近に当該畳マットの裏面フェルト内の穴部に挿入できるような径８〜１５ｍｍφ、高さ８〜１８ｍｍの半割れ円筒体を取り付けて、当該円筒部間の間隔をそれぞれ７０〜９５ｍｍにしていることを特徴とする請求項１、又は請求項２に記載のフローリング用連結置き畳敷物。
【請求項４】
小型軽量畳マットを適宜に配列して、当該マットの裏面の穴部に、２〜４脚ドローン型連結具の円筒部をセットすることによって、２〜１６個を正方形、又は長方形の種々の状態に配列・固定して、１畳から８畳の大きさに連結した畳敷物マットをフローリング床上に敷くことを特徴とする請求項１〜請求項３のいずれかに記載のフローリング用連結置き畳敷物。
【請求項５】
畳敷物マットを連結して使用する連結畳状敷物であって、当該マットの表面の畳面には、意匠を施したデザイン性表装材にしており、畳敷物マットは、互いに裏面で連結している放射状２〜４脚ドローン型連結具を着脱自在にして、個々の畳敷物マットの配置及び組み合わせが自由に行えるようにパッチワーク様になっていることを特徴とする請求項１〜請求項４のいずれかに記載のフローリング用連結置き畳敷物。
【考案の詳細な説明】
【技術分野】
【０００１】本考案は畳形式敷物に関するものである。コンパクトで、移動、取り外しが容易にでき、意匠性を持って、フローリングの部屋でも快適に生活することができるフローリング用連結畳状敷物マットに関するものである。
【背景技術】
【０００２】一般的住宅では内容的に洋風的な建造物になって、ほとんどの部屋において床がフローリングになって、畳の部屋が非常に少なくっている。一方では、床がフローリングの部屋で畳の和室の日本式生活様式で過ごしたいこともあり、座って居住する様式も取り入れたい気持ちになることもある。しかしながら、フローリングの上に直接座ると脚等がすぐ痛くなり、座り心地が悪いため、畳の上で座ったり、寝たり、過ごしたりしたい気持ちを持つようになる。敷物としては、起毛生地を使用した製品、敷詰めもしくは中敷の絨毯、表装材が畳表（藺草織物等）である単位マットがあるが、その時に適宜の箇所で、座ったり寝ころんだりすることができるように色々な畳形式敷物を使用したい気持ちが起こる。【０００３】単位マットを連結して使用する敷物であって、上記単位マットには、意匠が施されている表装材が設けられており、上記単位マットは、互いに裏面を着脱自在な連結具で連結されて、配置及び組み合わせが自由に行えるようにして、単位マットの配置及び組み合わせがパッチワーク様になっている敷物が提案されている（特許文献１参照）。【０００４】  並列する複数の敷物類の表面側に、連結具を着脱可能な着脱部を設け、隣り合う敷物類の着脱部間にこの連結具を架け渡して取り付けることで、上記敷物類の着脱部は面ファスナの雌ファスナからなり、上記連結具は面ファスナの雄ファスナからなる着脱面を有し、敷物類の着脱部と連結具の着脱面との雌雄ファスナの係脱により、敷物類に連結具を着脱可能とした敷物類の連結体が提案されている（特許文献２参照）。【０００５】面状ファスナーの係止部帯状体が床下側に向けてカーペットマット裏面にオーバーロックされて折り返され、該係止部が表向きの帯状体としてマット端縁外側に形成され、パイル部帯状体はパイルを床下地に向けてカーペットマットの端部直下にオーバーロックされ、係止部帯状体と隣接するカーペットマットのパイル部帯状体が着脱可能に係合されて継目が固定される連結敷物が提案されている（特許文献３参照）。【０００６】敷物マットを連結されたものは、提案されているが、複雑な構造のもので、簡単に使用することは難しく、また接続の度合いが十分ではなく、マット間に分離する場合がみられる。
【先行技術文献】
【特許文献】
【０００７】
【特許文献１】特開２００１−３０９８４４号公報
【特許文献２】特開２００８−２５３６６６号公報
【特許文献３】実開平７−７５７６号公報
【考案の概要】
【考案が解決しようとする課題】
【０００８】従来のフローリングの床等に敷く敷物には、次のような課題があった。敷詰めの絨毯のように広くて重いものは、一度敷くと移動が難しい。起毛生地を使用した製品、敷詰めもしくは中敷きの絨毯等はゴミが集まりやすい。また、敷詰めの絨毯は取り外しがむずかしく、掃除が大変である。また大部分の製品が表面に色彩、形状、模様またはそれらの組み合わせからなる意匠を施しにくいので見栄えがせず、部屋の雰囲気も変わらない。また畳表を使用した畳敷物マットをいくら連結しても、見栄えがせず、単に畳の代用品に過ぎない。【０００９】特に、近年におけるように個性化の時代といわれ、高価なものでも需要者の好みに合えば売れる時代にあっては、上記のような敷物では、需要者の個性を発揮できない。なお、この場合、畳表に意匠等を施すことも考えられるが、見栄えが良く、耐久性がある意匠を施すことができないのが実状である。【００１０】敷物マットを連結されたものは、提案されているが、複雑な構造のもので、簡単に使用することは難しく、また接続の度合いが十分ではなく、マット間に分離する場合がみられる。本考案の目的は、単位マットを連結した敷物において、畳敷物マットの組み合わせにより需要者の好みに合わせることができ、需要者の個性を表現して快適に使用できる敷物を提供して、フローリング用連結置き畳敷物として構成部材の取り外しや移動が容易な敷物を提供することである。
【課題を解決するための手段】
【００１１】畳表とフェルトからなる厚さ１０〜３０ｍｍの小型軽量畳マット２〜１６個を適宜に配列して、当該マットの裏面に２〜４脚ドローン型連結具２〜２０によって１〜８畳の大きさの連結敷物マットにしているフローリング用連結置き畳敷物である。【００１２】小型軽量マットの置き畳敷物は、縦横７００〜９００ｍｍの略正方形であって、表面に藺草で織った畳表で、裏面に厚さ８〜３０ｍｍのフェルト材を使用して、各４辺の縁には、６０〜１２０ｍｍの縁布によって、表端、縁、裏端それぞれ２０〜４０ｍｍ長さの縁留めになるようにして、裏面のフェルトには径１０〜１５ｍｍφ、深さ８〜１８ｍｍの穴部を、正方形のマット一辺に７０〜９５ｍｍの間隔で４〜６個を設けて、１マット当たり１６〜２４個の穴部を取り付けて、穴部配列を一辺でマット両端から３０〜５０ｍｍの位置にそれぞれ２個、中央部に２個に７０〜９５ｍｍの間隔で、又はマット両端から３０〜５０ｍｍの位置にそれぞれ７０〜９５ｍｍの間隔で２個のみ配列している。【００１３】２〜４脚ドローン型連結具は、材質として柔軟性の可塑性重合系樹脂で、厚さ１〜２ｍｍの略放射形状体であって、フローリング面で滑り止めになるように、裏面の平滑度を±０．１ｍｍ以上の粗さと、略放射形状として中心部から２〜４本の脚を出したドローン形状であり、当該ドローン形状の各脚の先端付近に当該畳マットの裏面フェルト内の穴部に挿入できるような径８〜１５ｍｍφ、高さ８〜１８ｍｍの半割れ円筒体を取り付けて、当該円筒部間の間隔をそれぞれ７０〜９５ｍｍにしている。【００１４】小型軽量畳マットを適宜に配列して、当該マットの裏面の穴部に、２〜４脚ドローン型連結具の円筒部をセットすることによって、２〜１６個を正方形、又は長方形の種々の状態に配列・固定して、１畳から８畳の大きさに連結した畳敷物マットをフローリング床上に敷くことができる。【００１５】畳敷物マットを連結して使用する連結畳状敷物であって、当該マットの表面の畳面には、意匠を施したデザイン性表装材にしており、畳敷物マットは、互いに裏面で連結している放射状２〜４脚ドローン型連結具を着脱自在にして、個々の畳敷物マットの配置及び組み合わせが自由に行えるようにパッチワーク様になっている。【００１６】表畳材の下側裏面に、主にフェルトであるが、発泡ポリウレタン、コルク、またはプラスチック製ハニカム材から選ばれたいずれかを含む基体が使用される。マットの裏面には防滑性を有することができる。【００１７】敷物の形状としては、通常は正方形のものが使用されるが、その他、長方形、三角形、六角形等のものも適宜使用でき、特に限定するものではない。表装材としては、例えば平織、斜文織、朱子織等の織物、編布、不織布等の布あるいは藺草を編んだ茣蓙などを使用できる。また、天然皮革または合成皮革も使用できる。しかし、これらに限定されるものではない。【００１８】敷物は、畳敷物マットを連結して使用する敷物であって、上記畳敷物マットには、意匠が施されている畳表装材が設けられており、互いに裏面を着脱自在な連結具で連結されて、配置及び組み合わせが自由に行えるようになっている。
従って、需要者が複数の畳敷物マットを選び、自己の好みに合うように配置及び組み合わせをすることができる。【００１９】そのことにより、連結された敷物の意匠に自己の個性を表すことができ、床がフローリングである一般的な部屋等においても、上記敷物を使用することにより、快適な生活をおくることができる。また、着脱自在な連結具で連結された単位マット同士は容易に取り外すことができる。畳敷物マットを他の部屋に移動するときには、単位マットに分解して運ぶことができ、軽いので移動時の負担を軽減することができる。
【考案の効果】
【００２０】本考案は上記構成を備え、次の効果を有する。
フローリング用連結置き畳敷物は、畳敷物マットを連結して使用する敷物で、フローリング床上のマットであって、畳敷物に意匠が施されている表装材が設けられており、互いに裏面を着脱自在な連結具で連結されて、配置及び組み合わせが自由に行えるようになっている。従って、需要者が複数の畳敷物マットを選び、自己の好みに合うように配置及び組み合わせをすることができる。そのことにより、連結された敷物の意匠に自己の個性を表すことができ、フローリングである床の一般的な部屋等においても、上記敷物を使用することにより、快適な生活をおくることができる。【００２１】着脱自在な連結具で連結された単位マット同士は容易に取り外すことができる。これにより敷物を他の部屋に移動するときには、単位マットに分解して運ぶことができ、軽いので移動時の負担を軽減することができる。畳敷物マットの配置及び組み合わせがパッチワーク様になっているものは、上記パッチワーク様の意匠を自己の好みに合うようにすることにより、複数の畳敷物マットを安定的に固定できて、自己の個性を表わすことができる。【００２２】フローリング用連結置き畳敷物における畳敷物マット基体により全体に強度が付与されるのにもかかわらず、比較的軽量で移動させやすいので、好みに合わせて所望の箇所に自由に置くことができる。また、掃除や模様替えをする際にも楽に移動させることができる。敷物本体の下面が防滑性を有するものは、敷物を使用中、動かないようにすることができ、歩行したり、座ったりするときに、体が不安定になることがなく、安全性に優れる。
【図面の簡単な説明】
【００２３】
【図１】フローリング用連結置き畳敷物の斜視図。Ａ：表面、Ｂ：裏面
【図２】フローリング用連結置き畳敷物の軽量畳マットの一個の図面  Ａ：表面  Ｂ：断面
【図３】２〜４脚ドローン型連結具の図  ４脚用  Ａ：表面  Ｂ：断面  Ｃ：裏面  ２脚用  Ｄ：表面  Ｅ：裏面
【図４】小型軽量畳マットと４脚ドローン型連結具の接合状態の図
【図５】小型軽量畳マットと２脚ドローン型連結具の接合状態の図
【図６】フローリング用連結置き畳敷物の部屋での使用状態図
【考案を実施するための形態】
【００２４】本考案の実施の形態を図面に基づき更に詳細に説明する。畳表とフェルトからなる厚さ１０〜３０ｍｍの小型軽量畳マット２〜９個を適宜に配列して、当該マットの裏面に２〜４脚ドローン型連結具２〜２４によって１〜８畳の大きさの連結敷物マットにしている。図１、２は本考案に係る敷物に使用する畳敷物マットの斜視図、図３は接合具の図、図４，５，６は本考案に係る敷物に使用する単位マットの底面図である。
【実施例１】
【００２５】図１に示すように小型軽量マットは、縦横９００ｍｍの略正方形であって、表面に藺草で織った畳表で、裏面に厚さ２０ｍｍのフェルト材を使用して、各４辺の縁には、１００ｍｍの縁布によって、表端、縁、裏端それぞれ３０ｍｍ長さの縁留めになるようにして、裏面のフェルトには径１２ｍｍφ、深さ１８ｍｍの穴部を、正方形のマット一辺に９０ｍｍの間隔で６個を設けて、１マット当たり２４個の穴部を取り付けて、穴部配列を一辺で両端から４５ｍｍの位置にそれぞれ２個、中央部に２個に９０ｍｍの間隔で配列した。【００２２】図３に示すように４脚ドローン型連結具は、材質として柔軟性の可塑性重合系樹脂であるポリプロピレン樹脂であて、厚さ１・５ｍｍの略正方形放射状体であって、ドローン形状で中心部から４本の脚を出して、各脚の先端付近に当該畳マットの裏面の穴部に挿入できるような径１２ｍｍφ、高さ１７ｍｍの半割れ円筒部を取り付けて、当該円筒部間の間隔をそれぞれ９０ｍｍにした。【００２３】図４に示すように小型軽量畳マットを適宜に配列して、当該マットの裏面に４脚ドローン型連結具によって、４個を正方形の状態に配列して２畳の大きさに連結した畳敷物マットをフローリング床状に敷いた。【００２４】畳敷物マットを連結して使用する連結畳状敷物であって、当該マットには、意匠を施した表装材にしており、畳敷物マットは、互いに裏面に連結している４脚ドローン型連結具を着脱自在にして、配置及び組み合わせが自由に行えるようにパッチワーク様にした。フローリングの床に敷いて和製の絨毯になり、座って雑談などができた。
【実施例２】
【００２５】図１に示すように、置き畳敷物用小型軽量マットは、縦横８００ｍｍの略正方形であって、表面に藺草で織った畳表で、裏面に厚さ２ｍｍのフェルト材を使用して、各４辺の縁には、６０の縁布によって、表端、縁、裏端それぞれ２０ｍｍ長さの縁留めになるようにして、裏面のフェルトには径１０ｍｍφ、深さ８ｍｍの穴部を、正方形のマット一辺に８５ｍｍの間隔で４個を設けて、１マット当たり１６個の穴部を取り付けて、穴部配列を一辺で両端から４５ｍｍの位置にそれぞれ２個、中央部に２個に８５ｍｍの間隔で配列した。【００３１】２脚ドローン型連結具は、材質として熱可塑性ビニル状重合系樹脂であって、厚さ２ｍｍの長方形状体であって、中心部から２本の脚を出して、各脚の先端付近に当該畳マットの裏面の穴部に挿入できるような径１０ｍｍφ、高さ８ｍｍの半割れ円筒部を取り付けて、当該円筒部間の間隔をそれぞれ８５ｍｍにした。【００３２】図５に示すように小型軽量畳マットを適宜に配列して、当該マットの裏面に２脚ドローン型連結具によって、９個を正方形の種々の状態に配列して４畳半の大きさに連結した畳敷物マットをフローリング床状に敷いた。【００３３】畳敷物マットを連結して使用する連結畳状敷物であって、当該マットには、意匠を施した表装材にしており、畳敷物マットは、互いに裏面に連結している４脚ドローン型連結具を着脱自在にして、配置及び組み合わせが自由に行えるようにパッチワーク様にした。図６に示すようにフローリング床に敷いた場合に意匠性も見られて、敷物として使用することができた。
【実施例３】
【００３０】図１に示すように、置き畳敷物用小型軽量マットは、縦横７００ｍｍの略正方形であって、表面に藺草で織った畳表で、裏面に厚さ２０ｍｍのフェルト材を使用して、各４辺の縁には、９０ｍｍの縁布によって、表端、縁、裏端それぞれ３０ｍｍ長さの縁留めになるようにして、裏面のフェルトには径１２ｍｍφ、深さ１２ｍｍの穴部を、正方形のマット一辺に９０ｍｍの間隔で６個を設けて、１マット当たり２４個の穴部を取り付けて、穴部配列を一辺で両端から４５ｍｍの位置にそれぞれ２個、中央部に２個に９０ｍｍの間隔で配列した。【００３１】図３Ｄに示すような２脚ドローン型連結具は、材質として熱可塑性ビニル状重合系樹脂であって、厚さ２ｍｍの長方形状体であって、ドローン形状で中心部から２本の脚を出して、各脚の先端付近に当該畳マットの裏面の穴部に挿入できるような径１２ｍｍφ、高さ１２ｍｍの半割れ円筒部を取り付けて、当該円筒部間の間隔をそれぞれ９０ｍｍにした。【００３２】置き畳敷物用小型軽量畳マットを適宜に配列して、当該マットの裏面に２脚ドローン型連結具によって、１６個を正方形の種々の状態に配列して８畳の大きさに連結した畳敷物マットをフローリング床状に敷いた。各マットの様式を種々変えて敷いているので、敷物全体でに意匠性をもたらし【００３３】畳敷物マットを連結して使用する連結畳状敷物であって、当該マットには、意匠を施した表装材にしており、畳敷物マットは、互いに裏面に連結している２脚ドローン型連結具を着脱自在にして、配置及び組み合わせが自由に行えるようにパッチワーク様にした。また各小型軽量畳マットは十分に固定されて、マットのずれはなかった。さらに図６に示すようにフローリングの部屋に敷いても違和感はなかった。新しい形式の部屋にすることができた。【００２７】本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。なお、本発明は図示の実施の形態に限定されるものではなく、特許請求の範囲の記載内において種々の変形が可能である。
【符号の説明】
【００２８】１．フローリング用連結置き畳敷物
２．畳表
３．フェルト材
４．縁布
５．２〜４脚ドローン型連結具
６．穴部
７．半割れ円筒部
８．樹脂面
９．滑り止め
１０．床フローリング
１１．壁面
【図１】
0003202380.tif 000003
【図２】
0003202380.tif 000004
【図３】
0003202380.tif 000005
【図４】
0003202380.tif 000006
【図５】
0003202380.tif 000007
【図６】
0003202380.tif 000008
【手続補正書】
【提出日】平成27年10月28日(2015.10.28)
【手続補正１】
【補正対象書類名】実用新案登録請求の範囲
【補正対象項目名】全文
【補正方法】変更
【補正の内容】
【実用新案登録請求の範囲】
【請求項１】
畳表とフェルトからなる厚さ１０〜５０ｍｍの小型軽量畳マット２〜１６個を適宜に配列して、当該マットの裏面に２〜２０個のドローン型連結具によって１〜８畳の大きさの連結敷物マットにしていることを特徴とするフローリング用連結置き畳敷物。
【請求項２】
小型軽量マットは、縦横８００〜９００ｍｍの略正方形であって、表面に藺草で織った畳表で、裏面に厚さ８〜２８ｍｍのフェルト材を使用して、各４辺の縁には、６０〜１２０ｍｍの縁布によって、表端、縁、裏端それぞれ２０〜４０ｍｍ長さの縁留めになるようにして、裏面のフェルトには径１０〜１５ｍｍφ、深さ８〜１８ｍｍの穴部を、正方形のマット一辺に７５〜９５ｍｍの間隔で４〜６個を設けて、１マット当たり１６〜２４個の穴部を取り付けて、穴部配列を一辺でマット両端から３０〜５０ｍｍの位置にそれぞれ２個、中央部に７５〜９５ｍｍの間隔で２個、又はマット両端から３０〜５０ｍｍの位置にそれぞれ７５〜９５ｍｍの間隔で２個のみ配列していることを特徴とする請求項１に記載のフローリング用連結置き畳敷物。